(57)【要約】【課題】  新生児のできるだけ多くの情報を残すことができ、且つ数値だけではない実際の新生児の記録を鮮明に残すことが可能な誕生記念用ぬいぐるみ、及びこれの置台を提供すること。【解決手段】  ぬいぐるみの足の裏４０に新生児の足型４１が印刷されていると共に、背中側又は／及び胸側に情報記録面１２が形成されており、前記情報記録面１２は、外側面がぬいぐるみ毛と同じもので覆われた蓋材１３により開閉可能に被蓋されている。【選択図】  図１
2007296012.tif 000002
【特許請求の範囲】
【請求項１】
ぬいぐるみの足の裏に新生児の足型が印刷されていると共に、背中側又は／及び胸側に情報記録面が形成されており、前記情報記録面は、外側面がぬいぐるみ毛と同じもので覆われた蓋材により開閉可能に被蓋されていることを特徴とする誕生記念用ぬいぐるみ。
【請求項２】
蓋材の内側面には、情報記録面が形成されていることを特徴とする請求項１記載の誕生記念用ぬいぐるみ。
【請求項３】
足型は反転印刷されたものを更に反転させたものであることを特徴とする請求項１又は２のいずれかに記載の誕生記念用ぬいぐるみ。
【請求項４】
ぬいぐるみの胴体部には、新生児の臍の緒、毛、爪のうち少なくとも一つが収容できるような空洞部が形成されており、前記空洞部への開口部は開閉自在となっていることを特徴とする請求項１乃至３のいずれかに記載の誕生記念用ぬいぐるみ。
【請求項５】
情報記録面が蓋材で被蓋された状態では、閉状態にある開口部の一部又は全部が蓋材により覆われていることを特徴とする請求項４記載の誕生記念用ぬいぐるみ。
【請求項６】
ぬいぐるみ内に音声録音・発生手段を設けてあり、ぬいぐるみの外表面近傍内に、録音のための小型マイク及び、音声発生のためのスピーカーを設けてあることを特徴とする請求項１乃至５のいずれかに記載の誕生記念用ぬいぐるみ。
【請求項７】
小型マイクはぬいぐるみの鼻付近に、スピーカーはぬいぐるみの口付近に、それぞれ配置してあることを特徴とする請求項６記載の誕生記念用ぬいぐるみ。
【請求項８】
上記請求項１乃至７のいずれかに記載の誕生記念用ぬいぐるみに使用される置台であって、収容部と、収容部の上側開放部を覆う蓋体とを備えており、前記蓋体は、ぬいぐるみが転倒することなく安定して保たれるような凹み部を形成し、収容部は、乳幼児に関する記念物を収納できる空間部を設けてあることを特徴とする置台。
【請求項９】
上記請求項８記載の誕生記念用ぬいぐるみに使用される置台であって、収容部に対して蓋体は、錠前により開状態にできないようになっていることを特徴とする置台。
【発明の詳細な説明】
【技術分野】
【０００１】
この発明は、誕生祝い等に好適な誕生記念用ぬいぐるみであって、誕生したときの新生児の情報等を一纏めにして残すための誕生記念用ぬいぐるみ、及びこれの置台に関するものである。
【背景技術】
【０００２】
従来より、この種のぬいぐるみとしては、例えば特許文献１のようなものが存在している。
【０００３】
このぬいぐるみは、足の裏に新生児（所謂赤ちゃん）、両親の名前、誕生年月日、誕生時の体重、身長等を刺繍により入れてなり、誕生時の体重と同じ重さに仕上げるというものである。したがって、そのぬいぐるみを足の裏を見ただけで赤ちゃん当時の背丈等がわかる。
【０００４】
しかしながら、足の裏に情報を刺繍等するだけであるから、情報量が少ない上、実際の新生児がどのようであったかは、数値のみの情報であることから、少し物足りなさ及び味気なさが残るものであった。
【０００５】
したがって、この種の販売業者及び購入者の間では、新生児に関するできるだけ多くの情報を残すことができ、且つ数値だけではない実際の新生児の記録を鮮明に残すことが可能な誕生記念用ぬいぐるみやこれに付随するものが開発されることを待ち望んでいる。
【特許文献１】特開２００２―３６０９４９号公報（図１参照）
【発明の開示】
【発明が解決しようとする課題】
【０００６】
そこでこの発明は、新生児に関するできるだけ多くの情報を残すことができ、且つ数値だけではない実際の新生児の記録を鮮明に残すことが可能な誕生記念用ぬいぐるみ、及びこれの置台を提供することを課題とする。
【課題を解決するための手段】
【０００７】
（請求項１記載の発明）
この発明の誕生記念用ぬいぐるみは、ぬいぐるみの足の裏に新生児の足型が印刷されていると共に、背中側又は／及び胸側に情報記録面が形成されており、前記情報記録面は、外側面がぬいぐるみ毛と同じもので覆われた蓋材により開閉可能に被蓋されている。
【０００８】
（請求項２記載の発明）
この発明の誕生記念用ぬいぐるみは、上記請求項１記載の発明に関し、蓋材の内側面には、情報記録面が形成されている。
【０００９】
（請求項３記載の発明）
この発明の誕生記念用ぬいぐるみは、上記請求項１又は２記載の発明に関し、足型は反転印刷されたものを更に反転させたものである。
【００１０】
（請求項４記載の発明）
この発明の誕生記念用ぬいぐるみは、上記請求項１乃至３のいずれかに記載の発明に関し、ぬいぐるみの胴体部には、新生児の臍の緒、毛、爪のうち少なくとも一つが収容できるような空洞部が形成されており、前記空洞部への開口部は開閉自在となっている。
【００１１】
（請求項５記載の発明）
この発明の誕生記念用ぬいぐるみは、上記請求項１乃至４のいずれかに記載の発明に関し、情報記録面が蓋材で被蓋された状態では、閉状態にある開口部の一部又は全部が蓋材により覆われている。
【００１２】
（請求項６記載の発明）
この発明の誕生記念用ぬいぐるみは、上記請求項１乃至５のいずれかに記載の発明に関し、ぬいぐるみ内に音声録音・発生手段を設けてあり、ぬいぐるみの外表面近傍内に、録音のための小型マイク及び、音声発生のためのスピーカーを設けてある。
【００１３】
（請求項７記載の発明）
この発明の誕生記念用ぬいぐるみは、上記請求項６記載の発明に関し、小型マイクはぬいぐるみの鼻付近に、スピーカーはぬいぐるみの口付近に、それぞれ配置してある。
【００１４】
（請求項８記載の発明）
この発明は、上記請求項１乃至７のいずれかに記載の誕生記念用ぬいぐるみに使用される置台であって、収容部と、収容部の上側開放部を覆う蓋体とを備えており、前記蓋体は、ぬいぐるみが転倒することなく安定して保たれるような凹み部を形成し、収容部は、乳幼児に関する記念物を収納できる空間部を設けてある。
【００１５】
（請求項９記載の発明）
この発明は、上記請求項８記載の誕生記念用ぬいぐるみに使用される置台であって、収容部に対して蓋体は、錠前により開状態にできないようになっている。
【発明の効果】
【００１６】
この発明は上述のような構成であり、次の効果を有する。
【００１７】
この発明の誕生記念用ぬいぐるみ、及びこれの置台によると、新生児に関するできるだけ多くの情報を残すことができ、且つ数値だけではない実際の新生児の記録を鮮明に残すことが可能である。
【発明を実施するための最良の形態】
【００１８】
以下、この発明の実施の形態を、図面を参照して説明する。
【実施例１】
【００１９】
図１はこの発明の実施例１の誕生記念用ぬいぐるみＢの正面図、図２は前記誕生記念用ぬいぐるみＢの背面図、図３は前記誕生記念用ぬいぐるみＢの背中側に設けられた情報記録面１２及び蓋材１３の説明図、図４は前記情報記録面１２及び蓋材１３の断面図、図５は誕生記念用ぬいぐるみＢの置台Ｄの外観斜視図、図６は前記置台Ｄの収容部５、蓋体６及び中蓋６２の斜視図を示している。
【００２０】
（この誕生記念用ぬいぐるみＢの基本的構成について）
この誕生記念用ぬいぐるみＢは、図１や図２に示すように、表面を布地で構成させた熊のぬいぐるみ、特に可愛らしさを備えたテディベアーを使用したものであり、基本的には胴部１と、頭部２と、一対の腕部３と、一対の脚部４ととから構成されていると共にほぼ全体が比較的長い体毛で覆われたものとなっている。
【００２１】
ここで、この誕生記念用ぬいぐるみＢは以下の（１）〜（４）に示すような特徴を有している。
【００２２】
（１）誕生記念用ぬいぐるみＢは、図１に示すように、脚部４の足の裏４０には新生児の足型４１が印刷形成されている。
足の裏４０の素材は布地としてあり、足型４１は、熱転写プリント、シルクスクリーンプリント、インクジェットプリントにより好みの色に設定することができる。ところで、この足型４１は、新生児の足から採った足型を鏡像ではなく実像で印刷形成してある。この手法としては、誕生記念用ぬいぐるみＢの購入者（注文者）に足型を採ってもらい、その足型をコンピュータで反転処理を行うものとしている。
【００２３】
なお、購入者による足型の採取は、販売者から提供された無害な白粉（家にあるベビーパウダーでも可）を新生児の足の裏に付着させ、更に、販売者から提供された粘着シートを前記足の裏４０に押し付けるようにして行う。このように採取された足型を保護するため薄いフィルムをその上に張り付け販売者側に返送し、販売者はこれに基づきコンピュータで反転処理する。要するに販売者と購入者が一体となって新生児誕生の情報記録を作り上げるのである。
【００２４】
（２）誕生記念用ぬいぐるみＢは、図３に示すように、胴部１の背中側に情報記録部１０を備えている。
この情報記録部１０は、胴部１における背中側の体毛を切除した布地１９部分にベース１１となる布製の情報記録面１２を縫着し、さらに、外側面がぬいぐるみの毛と同じもので覆われた蓋材１３により前記情報記録面１２を被蓋する構成を採っている。前記情報記録面１２に対して蓋材１３は、これらの外側辺がヒンジとなる形態で開閉可能とすると共に、「閉」状態を維持し且つ比較的容易に「開」状態にできるようにすべくマジックファスナーＭＦ（「登録商標」、このマジックファスナーにかえてゴムマグネットの磁着力を採用することができる）を周囲に取り付けてある。また、前記蓋材１３の開く側の辺には、開閉時の把手を兼ねる商標入りタグ１５を設けてある。そして、この実施例では蓋材１３の裏面側にも情報記録面１４を設けてある。なお、情報記録面１２，１４には、「新生児の名前」、「両親の名前」、「誕生日」、「誕生場所」、「誕生時間」、「誕生日の天候」、「身長」、「体重」、「血液型」、「星座名」等が明記される。
【００２５】
この誕生記念用ぬいぐるみＢは、上記のような構成であるから、新生児の多くの情報を残すことができると共に、図２に示すように、蓋体１３を閉じた状態では外観上、情報記録面１２，１４の存在がまったく判らず、通常のぬいぐるみのように見える。
【００２６】
なお、情報記録面１２，１４への情報記録内容は、購入者から提示してもらい、その内容を販売者が印刷又は刺繍する。要するにこの点についても販売者と購入者が一体となって新生児誕生の情報記録部１０を作り上げるのである。
【００２７】
（３）この誕生記念用ぬいぐるみＢは、図３に示すように、胴部１の背中側が開口部１７となる空洞部１６を備えている。
前記空洞部１６には、新生児の「臍の緒」、「毛」、「爪」のうち少なくとも一つが収容できるようになっており、開口部１７は全体が樹脂で形成されたファスナー１８により開閉される。
【００２８】
ここで、上記開口部１７は、背中のほぼ中央部に設けられており、その大部分は情報記録面１２内の端部に位置しており、僅かな下部分のみが情報記録面１２から外れている。したがって、ファスナー１８を閉じると共に上記蓋材１３を閉じ、さらに、情報記録面１２，１４から外れたファスナー１８部分をまわりの毛で覆うようにすれば図２に示すように、ファスナー１８の存在は目立たないものとなる。
【００２９】
（４）この誕生記念用ぬいぐるみＢは、一見すると通常のぬいぐるみのように  見えるが、上記（１）〜（３）の内容から、新生児のできるだけ多くの情報を残すことができ、且つ数値だけではない実際の新生児の記録を鮮明に残すことが可能である。
【００３０】
（この誕生記念用ぬいぐるみＢの置台５の基本的構成について）
この置台Ｄは、全体が木製又は樹脂製のものであり、図５や図６に示すように、収容部５と、収容部５の上側開放部を覆う蓋体６と、中蓋６２（落とし蓋）を備えている。そして、この置台Ｄでは、収容部５と蓋体６とが蝶番ｔでヒンジ結合してあり、他方、前記収容部５に対して蓋体６が特定の者しか開けられないようにするためのダイヤル式キーＫを設けてある。
【００３１】
収容部５は、図６に示すように比較的深い凹み部５０を形成してあり、前記凹み部５０の底部には区画された実質的収容部５１，５２，５３，５４を形成してある。なお、実質的収容部５１には新生児の映像を記録したＤＶＤ（記録媒体）を収容し、またその他の実質的収容部５２，５３，５４には臍の緒、産毛、爪、印鑑等を収容できるようにしてある。
【００３２】
蓋体６は、図５に示すように、その外面上部分に生記念用ぬいぐるみＢが転倒することなく安定して保たれるような凹状の嵌込部６０（臀部及び脚部を嵌め込む）を形成してある。また、この蓋体６は、図６に示すように、内面側に新生児の写真を入れるための写真入れ６１が設けられている。
【００３３】
中蓋６２は、図６に示すように、薄板状のものであり指で取り出すための孔６３を設けてある。
【００３４】
なお、中蓋６２の上には母子手帳や証書類、父母や祖父母からのメッセージを収納できるようにしてある。
【実施例２】
【００３５】
図７は小型マイク７及びスピーカー８を頭部２に設け、音声録音・発生手段９を胴部１に設けた状態を示す説明図、図８は前記音声録音・発生手段９を駆動状態等にするための操作部９０を情報記録面１２に設けた状態を示す図を示している。
この実施例２の誕生記念用ぬいぐるみＢは、基本的には実施例１と同じであるが、以下に示す別機能を備えたものとなっている。
【００３６】
この実施例２の誕生記念用ぬいぐるみＢでは、図７に示すように、頭部１における鼻２１付近には小型マイク７を、口部２０にはスピーカー８を、それぞれ設けており、さらに、胴部１内には音声録音・発生手段９を、情報記録面１２には操作部９０を、それぞれ設けている。前記操作部９０には、実施例１で示した記録情報以外に、「電源オン・オフスイッチ」「録音」、「再生」、「早送り」、「早戻し」等のタッチパネルが設けられている。なお、前記構成に関しては、例えば、特開２００４−２３７０１６、実用新案登録第３０７７１５０号、特開２００１−１６２０５５、昭６２−２９５６８２等を採用できる。
【００３７】
したがって、実施例１の誕生記念用ぬいぐるみＢが有する効果以外に、新生児の泣き声等を保存・再生でき、前記新生児が少し大きくなったときの笑い声等も保存・再生できる。    
【００３８】
（その他の実施の形態について）  
上記実施例では、開口部１７の大部分は情報記録面１２内の端部に位置しており、僅かな下部分のみが情報記録面１２から外れている。しかしながらこの構成に限定されることなく、開口部１７の全体が情報記録面１２内にあってもよく、開口部１７が情報記録面１２とは全く別のところにあってもよい。
【００３９】
また、上記実施例では、情報記録面１２は背中側に設けてあるが、これに限定されることなく、背中側又は／及び胸側に設けることができる。
【００４０】
上記実施例は熊のぬいぐるみであったが、これに限定されることなく、他の動物のあってもぬいぐるみであってもよい。
【図面の簡単な説明】
【００４１】
【図１】この発明の実施例１の誕生記念用ぬいぐるみの正面図。
【図２】前記誕生記念用ぬいぐるみの背面図。
【図３】前記誕生記念用ぬいぐるみの背中側に設けられた情報記録面及び蓋材の説明図。
【図４】前記情報記録面及び蓋材の断面図。
【図５】前記誕生記念用ぬいぐるみの置台の外観斜視図
【図６】前記置台の蓋体、収容部及び中蓋の斜視図
【図７】小型マイク及びスピーカーを頭部に設け、音声録音・発生手段を胴部２に設けた状態を示す説明図
【図８】前記音声録音・発生手段を駆動状態等にするための操作部を情報記録面に設けた状態を示す説明図。
【符号の説明】
【００４２】
Ｂ      誕生記念用ぬいぐるみ
Ｄ      置台
１      胴部
１２    情報記録面
１３    蓋材
２      頭部
３      腕部
４      脚部
４０    足の裏
４１    足型
５      収容部
６      蓋体
【図１】
2007296012.tif 000003
【図２】
2007296012.tif 000004
【図３】
2007296012.tif 000005
【図４】
2007296012.tif 000006
【図５】
2007296012.tif 000007
【図６】
2007296012.tif 000008
【図７】
2007296012.tif 000009
【図８】
2007296012.tif 000010